(57)【要約】【課題】表示素子の耐用期間を長期化すべく、画像を所定の時間表示した後、前記画像より低輝度の画像を表示する画像表示方法、画像表示装置、及び該画像表示装置を実現させるためのコンピュータプログラムを提供する。【解決手段】主制御部１は、輝度変更前の画像の階調数ｉから、輝度変更後の画像の階調数としてｉの階調数より小さいｊの階調数の範囲で画像を表示するために、［（ｉ−ｊ）／２］＋ｎ  （但し、ｎは０〜ｊ−１の階調値）の条件を満足するように階調値を変更する。主制御部１は、表示すべき画像を複数の領域に分割し、分割した領域毎に色変換するか否かの選択を受付け、色変換すべく選択された領域の画像に対して色変換処理を行う。【選択図】図１
2011164634.tif 000002
【特許請求の範囲】
【請求項１】
画像の表示時間を計時し、所定の時間が経過した場合、前記画像より低輝度の画像を表示する画像表示方法において、
輝度変更前の画像の階調数ｉから、輝度変更後の画像の階調数としてｉの階調数より小さいｊの階調数の範囲で画像を表示するために、
［（ｉ−ｊ）／２］＋ｎ  （但し、ｎは０〜ｊ−１の階調値）
の条件を満足するように階調値を変更するとともに、
輝度を予め決められた数だけ下げて低輝度の画像を表示する
ことを特徴とする画像表示方法。
【請求項２】
画像の表示時間を計時する手段と、所定の時間が経過したか否かを判断する手段と、所定の時間が経過した場合、前記画像より低輝度の画像を生成する手段と、生成した画像を表示する手段とを備えた画像表示装置において、
前記低輝度の画像を生成する手段は、
輝度変更前の画像の階調数ｉから輝度変更後の画像の階調数として、ｉの階調数より小さいｊの階調数の範囲で画像を表示するために、
［（ｉ−ｊ）／２］＋ｎ  （但し、ｎは０〜ｊ−１の階調値）
の条件を満足するように階調値を変更すると共に、輝度を予め決められた数だけ下げて低輝度の画像を表示する手段を含む
ことを特徴とする画像表示装置。
【請求項３】
コンピュータに、
所定の時間が経過したか否かを判断し、
所定の時間が経過した場合、前記画像より低輝度の画像を生成すべく、輝度変更前の画像の階調数ｉから輝度変更後の画像として、ｉの階調数より小さいｊの階調数の範囲で画像を変更するために、
［（ｉ−ｊ）／２］＋ｎ  （但し、ｎは０〜ｊ−１の階調値）
の条件を満足するように階調値を変更し、
輝度を予め決められた数だけ下げた輝度に変更し、
生成した画像を表示する
処理を実行させることを特徴とするコンピュータプログラム。
【発明の詳細な説明】
【技術分野】
【０００１】
本発明は画像の表示時間を計時して、所定の時間が経過した場合に、前記画像より低輝度の画像を表示する画像表示方法、画像表示装置、及び該画像表示装置を実現させる為のコンピュータプログラムに関する。
【背景技術】
【０００２】
ＣＲＴ、ＰＤＰ等の画像表示装置は長時間同じ画像を画面に表示し続けた場合、表示画面に焼き付きと呼ばれる残像現象が生じ、輝度が高い画像を表示し続けた場合、発光体又は蛍光体等の表示画素が消耗する。発光素子の色素毎に焼き付きの進行が異なるため、画面上の一部にのみ焼き付きが生じた場合でも画像表示装置を交換する必要があった。
【０００３】
そこで、画像表示装置の焼き付きを防止して耐用期間を長期化するために、スクリーンセーバに代表されるように、表示している内容に一定時間変化がない場合、その内容とは無関係の動画像を表示して表示する内容を変更し続け、画像表示装置の焼き付きを防止する措置が取られる（例えば、特許文献１を参照）。
【０００４】
従来のスクリーンセーバでは画像背景を黒色で表示する方法が一般的であり、スクリーンセーバによる処理画像を表示している間は、表示内容を確認することができない。そのため、スクリーンセーバによる画像を表示している間でも表示内容を確認する必要がある場合には、このようなスクリーンセーバを使用する代わりに、色反転のような元の画像の表示色の変換を行って画像表示装置の焼き付きを防止する措置が取られている。
【先行技術文献】
【特許文献】
【０００５】
【特許文献１】特開平８−６３１１６号公報
【発明の概要】
【発明が解決しようとする課題】
【０００６】
しかしながら、前述の従来技術は画面の表示内容によらず、全画面の画像データに対して色反転を行うため、色反転表示している間は表示内容が分かりにくいという問題点があった。
【０００７】
また、色反転処理を行うだけでは、黒色に表示されている領域は色反転後に白色に表示するため、焼き付き防止の効果を得ることができるにもかかわらず、表示素子の消耗を抑止する効果は少ないという問題点があり、かかる問題点を解決し得る画像の表示方法及び表示装置の開発が望まれていた。
【０００８】
また、時間帯によってスクリーンセーバを使用したくない場合、従来技術のように所定の時間が経過した後、自動的にスクリーンセーバにより処理した画像を表示する設定では、スクリーンセーバの設定を変更して機能を停止させる必要があり、煩わしさを感じることがあった。
【０００９】
更に、使用者によって画像表示装置の使用時間が異なる為、必ずしも表示画素の消耗を最大限に防止することができるとは限らず、スクリーンセーバの使用開始後に表示実績と設定値の適切な推奨値とを表示でき、これらの推奨値に基づき設定値を変更できることが望ましい。
【００１０】
本発明は斯かる事情に鑑みてなされたものであり、色変換すべく選択された領域の画像に対して色変換処理を行うことにより、選択されていない領域の画像内容を確認でき、焼き付き防止効果を得ることができる画像表示方法、画像表示装置、及び該画像表示装置を実現させるためのコンピュータプログラムを提供することを目的とする。
【００１１】
本発明の他の目的は、輝度を所定量下げる処理を更に行うことにより、表示素子の消耗の抑止効果が高い画像表示方法、画像表示装置、及び該画像表示装置を実現させるためのコンピュータプログラムを提供することにある。
【００１２】
本発明の更に他の目的は、階調値を変更して輝度最大値を所定量下げる処理を行うことにより、元の画像の色イメージを損なわない範囲で画像の輝度を下げることができる画像表示方法、画像表示装置、及び該画像表示装置を実現させるためのコンピュータプログラムを提供することにある。
【００１３】
本発明の更に他の目的は、画像を表示する時間帯毎に色変換処理を行うか否かの選択、輝度を所定量下げる処理を行うか否かの選択、及び階調値を変更して輝度最大値を所定量下げる処理を行うか否かの選択を受付け、前記選択に従い、各処理を行うことにより、使用開始後の設定の変更を少なくすることができる画像表示方法、画像表示装置、及び該画像表示装置を実現させるためのコンピュータプログラムを提供することにある。
【００１４】
本発明の更に他の目的は、時間帯毎の輝度の最大値に基づき算出した表示素子の余命と、表示した画像の輝度最大値と該輝度最大値にて表示した時間とに基づき算出した表示素子の余命とが可及的に等しくなるような輝度最大値の推奨値を算出し、該推奨値を元に画像の輝度を下げることにより、使用開始後の表示素子の消耗を最大限に防止することができる画像表示方法、画像表示装置、及び該画像表示装置を実現させるためのコンピュータプログラムを提供することにある。
【課題を解決するための手段】
【００１５】
本願に開示する画像表示方法は、画像の表示時間を計時し、所定の時間が経過した場合、前記画像より低輝度の画像を表示する画像表示方法において、輝度変更前の画像の階調数ｉから、輝度変更後の画像の階調数としてｉの階調数より小さいｊの階調数の範囲で画像を表示するために、
［（ｉ−ｊ）／２］＋ｎ  （但し、ｎは０〜ｊ−１の階調値）
の条件を満足するように階調値を変更するとともに、輝度を予め決められた数だけ下げて低輝度の画像を表示することを特徴とする。
【００１６】
本願に開示する画像表示装置は、画像の表示時間を計時する手段と、所定の時間が経過したか否かを判断する手段と、所定の時間が経過した場合、前記画像より低輝度の画像を生成する手段と、生成した画像を表示する手段とを備えた画像表示装置において、前記低輝度の画像を生成する手段は、輝度変更前の画像の階調数ｉから輝度変更後の画像の階調数として、ｉの階調数より小さいｊの階調数の範囲で画像を表示するために、
［（ｉ−ｊ）／２］＋ｎ  （但し、ｎは０〜ｊ−１の階調値）
の条件を満足するように階調値を変更すると共に、輝度を予め決められた数だけ下げて低輝度の画像を表示する手段を含むことを特徴とする。
【００１７】
本願に開示するコンピュータプログラムは、コンピュータに、所定の時間が経過したか否かを判断し、所定の時間が経過した場合、前記画像より低輝度の画像を生成すべく、輝度変更前の画像の階調数ｉから輝度変更後の画像として、ｉの階調数より小さいｊの階調数の範囲で画像を変更するために、
［（ｉ−ｊ）／２］＋ｎ  （但し、ｎは０〜ｊ−１の階調値）
の条件を満足するように階調値を変更し、輝度を予め決められた数だけ下げた輝度に変更し、生成した画像を表示する処理を実行させることを特徴とする。
【発明の効果】
【００１８】
本願による場合は、表示すべき画像を複数の領域に分割して、分割した領域毎に色変換するか否かの選択を受付け、色変換するように選択された領域の画像に対して色変換処理を行うため、スクリーンセーバによる処理画像を表示している場合でも、非選択の領域の表示内容を確認することができる。
【００１９】
本願による場合は、色変換処理に加え、輝度を所定量下げる処理を更に行うため、表示素子の消耗防止の効果が高く、画像表示装置の耐用期間を長期化することができる。
【００２０】
本願による場合は、階調値を変更して輝度最大値を所定量下げる処理を更に行うため、元の画像の色イメージを損なわない範囲で画像の輝度を下げて、表示素子の消耗を防止することができる。
【００２１】
本願による場合は、画像を表示する時間帯毎に前記色変換処理を行うか否かの選択、輝度を所定量下げる処理を行うか否かの選択、及び階調値を変更して輝度最大値を下げる処理を行うか否かの選択を受け付けるため、例えば、画像表示装置の使用者の使用時間に合わせて前述の選択を行った場合、スクリーンセーバの設定を変更する頻度を少なくすることができ、使用者の手間を軽減することができる。
【００２２】
本願による場合は、時間帯毎の輝度の最大値に基づき算出した表示素子の余命と、表示した画像の輝度最大値と該輝度最大値にて表示した時間とに基づき算出した表示素子の余命とが可及的に等しくなるような輝度最大値の推奨値を算出し、該推奨値を元に画像の輝度を下げるようにしてあるため、画像表示を開始した後の表示素子の消耗を最大限に防止することができる。
【図面の簡単な説明】
【００２３】
【図１】本発明の画像表示装置のブロック図である。
【図２】ＲＡＭに格納されている本発明のスクリーンセーバにより処理された画像を示す模式図である。
【図３】画像表示装置のＲＡＭの内容を示す概念図である。
【図４】主制御部の処理手順について説明したフローチャートである。
【図５】スクリーンセーバによる処理画像の表示手順を詳細に示したフローチャートである。
【図６】図５における表示モードの判別処理について詳細に示すフローチャートである。
【図７】表示実績ログの書込み手順を示すフローチャートである。
【図８】スクリーンセーバの表示実績ログを元に輝度の推奨値を算出する手順を示したフローチャートである。
【図９】表示実績ログの記録内容を示す説明図である。
【図１０】スクリーンセーバの設定変更画面を示す説明図である。
【発明を実施するための形態】
【００２４】
以下、本発明をその実施の形態を示す図面に基づいて詳述する。
【００２５】
実施の形態１．
図１は本発明の画像表示装置のブロック図である。図中１は主制御部であり、具体的にはＣＰＵで構成されている。３はバス２を介して主制御部１と接続されたＲＯＭであり、本発明の表示方法を実現させるためのスクリーンセーバと各種制御プログラムを格納している。４はＲＡＭであり、ＲＯＭ３に格納されているスクリーンセーバの実行時、及び制御プログラムの実行時に生じる一時的なデータを記憶する。５はインターフェース部であり、図には示していない監視カメラのようなビデオカメラから画像データを受信する。６は入力処理部であり、インターフェース部５により受信した画像データを画素毎に分解して、画像メモリ７に書き込む。８は出力処理部であり、画像メモリ７に記憶されている画像データの拡大・縮小、部分的な色の変更等を行い、変更された画像データを表示部９により画面に表示する。１０は時計部であり、時刻の情報を持つと共に、タイマ機能を有する。１１は操作部であり、表示部９により表示する画像データの変更設定を行うための各種ファンクションキー及びカーソルキーを備えている。
【００２６】
図２はＲＡＭ４に格納されている本発明のスクリーンセーバにより処理された画像を示す模式図である。図中Ａはスクリーンセーバにより処理される前の画像であり、取り得る階調数は２５６である。背景部分は白色（ＲＧＢ信号の各階調値は２５５）であり、図形部分は黒色（ＲＧＢ信号の各階調値は０）で塗りつぶされている。一般的な階調数の変更では、階調数をｉからｊへ変更する場合、変更後の階調値を（ｉ／ｊ）×ｎ＋１（ｎ＝０，１，…ｊ−１）へと変更する。したがって、階調値間の色差が拡大するだけであり、白色部分の階調値に変更はなく、輝度の最大値が変化しない。本発明のスクリーンセーバにより階調数ｉからｊへ階調数を変更する場合、（（ｉ−ｊ）／２）＋ｎ（ｎ＝０，１，…ｊ−１）へと変更する。すなわち、階調値の大きな領域及び小さな領域とを変更して階調値の中心値近傍へ集中するように階調数を変更するため、階調数を変更することによって、輝度を下げることができる。
【００２７】
画像Ｂは、元の画像Ａの階調数を１２８に変更し、その後、輝度を３２だけ下げたものである。全体の階調数を２５６から１２８へ変更する場合、（Ｒ，Ｇ，Ｂ）＝（０，０，０）の階調値は（Ｒ，Ｇ，Ｂ）＝（６４，６４，６４）へ変更し、（Ｒ，Ｇ，Ｂ）＝（２５５，２５５，２５５）の階調値は（Ｒ，Ｇ，Ｂ）＝（１９１，１９１，１９１）へ変更する。次いで、輝度を３２だけ下げるため、図形部分の階調値は（Ｒ，Ｇ，Ｂ）＝（３２，３２，３２）、背景部分の階調値は（Ｒ，Ｇ，Ｂ）＝（１５９，１５９，１５９）となる。
【００２８】
画像Ｃは、左半分の画像に対して階調数を２５６から６４へ変更し、次いで、輝度を１６だけ下げ、右半分の画像に対して色反転した後、階調数を６４へ変更し、輝度を１６だけ下げたものである。その結果、左半分の領域に含まれる図形部分の階調値は（Ｒ，Ｇ，Ｂ）＝（８０，８０，８０）、背景部分の階調値は（Ｒ，Ｇ，Ｂ）＝（１４３，１４３，１４３）となり、右半分の領域に含まれる図形部分の階調値は（Ｒ，Ｇ，Ｂ）＝（１４３，１４３，１４３）、背景部分の階調値は（Ｒ，Ｇ，Ｂ）＝（８０，８０，８０）となる。
【００２９】
本発明の画像表示装置のＲＯＭ３にインストールされているスクリーンセーバは、例えば、画像表示装置のインターフェース部５にて受信した画像を処理することなく表示する通常表示モード、８時から２０時の間にスクリーンセーバによる処理画像を表示する際、画像Ｂのような階調数の変更と輝度の変更とを行った画像を表示する昼間モード、及び２０時から８時の間にスクリーンセーバによる処理画像を表示する際、画像Ｃのような選択された領域の画像に対して色反転処理を行った上で、階調数の変更と輝度の変更とを行った画像を表示する夜間モードを有する。
【００３０】
図３は画像表示装置のＲＡＭ４の内容を示す概念図である。図中ａは、表示モードの切り替え時刻が記録されている昼夜モード定義テーブルであり、本実施の形態では昼間モードから夜間モードの切り替え時刻（２０時）と夜間モードから昼間モードの切り替え時刻（８時）とが予め記録されている。また、画像を表示している表示モードが、昼間モード、夜間モード、又は通常モードの何れであるかについて識別するために、モードフラグに夫々１から３までの数字が割当てられている。
【００３１】
テーブルｂは昼間モード、夜間モード夫々に対して階調数と輝度の変更量とが予め記録されている画像処理定義テーブルである。例えば、図３に示した例では、昼間モードに対しては、階調数は１２８、輝度の変更量は３２に設定されており、夜間モードに対しては、階調数は６４、輝度の変更量は１６に設定されている。出力処理部８は画像メモリ７に記憶されている画像データをここで定義している階調数に変更した後、輝度の変更量に従い輝度を下げる。また、夫々のモードについて階調数を変更させるか否かの識別情報、及び輝度を下げるか否かの識別情報が変更要否フラグに設定されている。変更を行う場合、変更要否フラグに１を割当て、変更を行わない場合、変更要否フラグに２を割り当てる。
【００３２】
テーブルｃは画像データの色反転を行う矩形領域の座標と、各矩形領域に対する色反転の要否に関するフラグとを記録した矩形定義テーブルである。矩形領域の定義は本画像表示装置を使用する使用者が行い、操作部１１のファンクションキー及びカーソルキーを利用して矩形の頂点座標を定めることによって行う。定義した矩形の頂点座標は矩形定義テーブルｃに記録される。また、使用者は定義した矩形領域の画像を色反転させるか否かの選択を各表示モード毎に行い、色反転させる場合、反転要否フラグとして１を割当て、色反転させない場合、色反転要否フラグとして２を割当てる。
【００３３】
テーブルｄはスクリーンセーバの使用開始後の表示実績を記録する表示実績ログであり、インターフェース部５により受信した画像を表示部９に表示し始めた時刻、スクリーンセーバ機能が働き始めた時刻、及び表示モードの切り替え時刻とそれらの時刻における最大輝度とが順次記録される。最大輝度は画像処理定義テーブルｂに記録されている階調数と輝度の変更量とから定まり、
（最大輝度）＝（輝度中心値）＋（階調数）／２−（輝度の変更量）
で与えられる。また、テーブルｅは、積算発光時間が記録された使用状況テーブルであり、表示時間と表示最大輝度との積算値が記録されている。
【００３４】
本実施の形態では、各表示モード間の切り替え時刻、各表示モード毎の階調数、輝度の変更量等は出荷時の設定として予め与えているが、使用者が画像表示装置を初めて使用する場合に、これらの値を操作部１１から入力してもよい。
【００３５】
図４は主制御部１の処理手順について説明したフローチャートである。スクリーンセーバの起動後、主制御部１は時計部１０のタイマをリセットする（ステップＳ１）。主制御部１は操作部１１のファンクションキー又はカーソルキーの押下操作等のキー操作があるか否かを判断し（ステップＳ２）、キー操作がある場合（Ｓ２：ＹＥＳ）、処理をＳ１へ戻してタイマをリセットする。キー操作がない場合（Ｓ２：ＮＯ）、主制御部１は所定の時間が経過したか否かを判断し（ステップＳ３）、所定の時間が経過していない場合（Ｓ３：ＮＯ）、処理をＳ２へ戻す。所定の時間が経過した場合（Ｓ３：ＹＥＳ）、スクリーンセーバにより処理した画像を表示する（ステップＳ４）。
【００３６】
スクリーンセーバによる処理画像を画面に表示している間に、主制御部１は、キー操作があるか否かを判断し（ステップＳ５）、キー操作がない場合には（Ｓ５：ＮＯ）、Ｓ４へ戻してスクリーンセーバによる処理画像を表示し続ける。キー操作がある場合（Ｓ５：ＹＥＳ）、スクリーンセーバによる処理画像の表示を止めて、インターフェース部５にて受信した画像を処理しないまま表示する（ステップＳ６）。主制御部１は、スクリーンセーバを終了させたか否かを判断し（ステップＳ７）、スクリーンセーバを終了させていない場合（Ｓ７：ＮＯ）、Ｓ１へ戻して時計部１０のタイマをリセットする。
【００３７】
図５はスクリーンセーバによる処理画像の表示手順を詳細に示したフローチャートである。主制御部１は、インターフェース部５にて受信したフルスクリーンの画像データを画像メモリ７に記憶させる（ステップＳ１１）。主制御部１は、画像処理定義テーブルｂから昼間モード、夜間モード夫々の階調数と輝度の変更量及び夫々の変更要否フラグとを読みだし（ステップＳ１２）、矩形定義テーブルｃから各矩形領域について昼間モード反転要否フラグ、夜間モード反転要否フラグ、及び矩形の座標を読みだす（ステップＳ１３）。
【００３８】
読み取った座標に基づき、フルスクリーンの画像データから矩形に切り出して画像メモリ７に記憶させる（ステップＳ１４）。
【００３９】
次に、主制御部１は、後述する手順により現在時刻が昼間モードに対応するか、又は夜間モードに対応するかの判別処理を行う（ステップＳ１５）。Ｓ１５にて判別した結果、モードフラグが１であるか否かを判断し（ステップＳ１６）、現在モードフラグが１でない場合（Ｓ１６：ＮＯ）、モードフラグが２であるか否かを判断し（ステップＳ１７）、モードフラグが２でない場合（Ｓ１７：ＮＯ）には、処理をＳ１５へ戻して表示モードの判別処理を再度行う。
【００４０】
Ｓ１６及びＳ１７により現在時刻の表示モードが確定した場合（Ｓ１６：ＹＥＳ又はＳ１７：ＹＥＳ）には、Ｓ１３にて矩形定義テーブルｃから読み取った反転要否フラグに基づき、色反転させるか否かを判断する（ステップＳ１８）。反転要否フラグが１である場合（Ｓ１８：ＹＥＳ）には、色反転処理を行った後（ステップＳ１９）、色反転させた矩形の画像データを画像メモリ７に記憶させる（ステップＳ２０）。反転要否フラグが２である場合（Ｓ１８：ＮＯ）には、色反転処理を行わず矩形の画像データをそのまま画像メモリ７に記憶させる（Ｓ２０）。
【００４１】
次に、主制御部１は全ての矩形について読みだしを終了したか否かを判断し（ステップＳ２１）、読みだしていない矩形が有る場合は（Ｓ２１：ＮＯ）、処理をＳ１３へ戻して、残りの矩形について、反転要否フラグ及び矩形の座標を読みだす。
【００４２】
矩形定義テーブルｃに記憶されている矩形情報が全て読みだされた後（Ｓ２１：ＹＥＳ）、Ｓ２０にて記憶させた矩形のイメージデータを元のフルスクリーンの画像データに貼り付ける（ステップＳ２２）。主制御部１はすべての矩形イメージデータを貼り付けたか否かを判断し（ステップＳ２３）、貼り付けが終了していない矩形イメージデータがある場合（Ｓ２３：ＮＯ）、処理をＳ２２へ戻して矩形イメージデータの貼り付け処理を続行する。
【００４３】
矩形イメージデータを全て貼り付けた場合（Ｓ２３：ＹＥＳ）、Ｓ１６及びＳ１７にて確定したモード、Ｓ１２にて読みだされた各表示モードの階調数及び輝度の変更量、並びに夫々の変更要否フラグを元にフルスクリーン画像イメージの階調数及び輝度を変更し（ステップＳ２４）、画面に表示する（ステップＳ２５）。
【００４４】
図６は、図５における表示モードの判別処理について詳細に示すフローチャートである。主制御部１は昼夜モード定義テーブルａから、各モード間の切り替え時刻、及びモードフラグを読取る（ステップＳ３１）。時計部１０から現在時刻を取得した上で（ステップＳ３２）、主制御部１は現在時刻が昼間モードに属するか、夜間モードに属するかを判別する（ステップＳ３３）。判別した結果、現在時刻が属する表示モードと、昼夜モード定義テーブルａから読みだしたモードフラグが示す表示モードとが同一であるか否かを判断し（ステップＳ３４）、同一でない場合（Ｓ３４：ＮＯ）、モードフラグを変更し（ステップＳ３５）、同一である場合（Ｓ３４：ＹＥＳ）、表示モードの判別処理を終了する。
【００４５】
なお、本実施の形態では、色変換処理の例として色反転を取り挙げているが、色反転に限らず、彩度変換又は色相変換により色変換を行ってもよい。
【００４６】
また、本実施の形態では、色反転させる領域を矩形により定義しているが、矩形に限らず、多角形、円形、楕円形等の任意の幾何形状により定義してもよい。
【００４７】
更に、本実施の形態では、スクリーンセーバをインストールした画像表示装置の例を取り挙げたが、スクリーンセーバをフロッピー（登録商標）ディスク、ＣＤ−ＲＯＭ等の記録媒体に記録して提供し、例えばパーソナルコンピュータ本体にインストールして使用することも可能である。この場合、矩形の定義、階調数の入力、輝度の変更量の入力等をパーソナルコンピュータ本体に接続されたキーボード又はマウス等の入力装置から行うことが可能である。
【００４８】
実施の形態２．
実施の形態２では、各表示モードにおける表示実績をＲＡＭ４の表示実績ログｄに記録し、表示実績ログｄに基づき算出した階調数及び輝度の変更量の推奨値を表示して、階調値及び輝度の変更量の変更を受け付ける点が実施の形態１と異なる。
【００４９】
図７は表示実績ログｄの書込み手順を示すフローチャートである。主制御部１は、スクリーンセーバが起動したか否かを判断し（ステップＳ４１）、スクリーンセーバが起動した場合（Ｓ４１：ＹＥＳ）、画像表示装置が持つ最大輝度を画像処理定義テーブルｂから求め、スクリーンセーバを起動した時刻と前記最大輝度とを表示実績ログｄに記録する（ステップＳ４２）。スクリーンセーバが起動していない場合（Ｓ４１：ＮＯ）、スクリーンセーバが起動するまで待機する。
【００５０】
次に、主制御部１は、スクリーンセーバが終了したか否かを判断し（ステップＳ４３）、スクリーンセーバが終了していない場合（Ｓ４３：ＮＯ）、表示モードの変更があるか否かを判断し（ステップＳ４４）、表示モードの変更がある場合（Ｓ４４：ＹＥＳ）、変更後の表示モードにおける最大輝度を画像処理定義テーブルｂから求め、表示モードの変更時刻と前記最大輝度を表示実績ログｄに記録する（ステップＳ４５）。
【００５１】
スクリーンセーバを終了したと判断した場合（Ｓ４３：ＹＥＳ）、スクリーンセーバを終了した時刻を表示実績ログｄに記録する（ステップＳ４６）。
【００５２】
図８はスクリーンセーバの表示実績ログを元に輝度の推奨値を算出する手順を示したフローチャートであり、図９は表示実績ログｄの記録内容を示す説明図であり、図１０はスクリーンセーバの設定変更画面を示す説明図である。
【００５３】
主制御部１は、図９に示したような表示実績ログｄを元に表示時間と最大輝度とを積算した量を求め（ステップＳ５２）、使用状況テーブルｅに記憶させる（ステップＳ５３）。次に主制御部１は、画像処理定義テーブルｂに記録されている階調数及び輝度の変更量、及び昼夜モード定義テーブルａに記録されている表示モード間の切り替え時刻を元に、目標とする輝度半減期を算出する（ステップＳ５４）。目標輝度半減期は以下の式により算出される。
【００５４】
目標輝度半減期＝標準輝度半減期×（表示素子最大輝度×２４時間）／Σ（各モード最大輝度×各モード表示時間）
【００５５】
ここで、標準輝度半減期とは表示装置に固有の値であり、最大輝度で表示した場合に表示素子の輝度が半減するまでの時間で定義されている。本発明では通常表示に対して、昼間モードと夜間モードとを設けて最大輝度を抑制しているので目標輝度半減期を標準輝度半減期よりも長期化することができる。
【００５６】
次いで、表示実績ログｄから表示実績に基づく余命を算出する（ステップＳ５５）。使用者により画像表示装置の使用頻度及び使用時間が異なるため、一般に画像処理定義テーブルｂから算出した余命の値と表示実績ログｄから算出した余命の値とは異なる。
【００５７】
そこで、主制御部１は、画像処理定義テーブルｂから算出した余命と表示実績ログｄから算出した余命とが等しくなるような昼間モード及び夜間モードの最大輝度推奨値を算出する（ステップＳ５６）。最大輝度推奨値の組合せは一意に求めることはできないが、両モードの最大輝度推奨値の差が最も小さくなるような組合せを選出する。このように選出することにより、一方の最大輝度推奨値が高くなり、他方の最大輝度推奨値が低くなることを防ぐことができる。
【００５８】
次に、主制御部１は図１０のようなスクリーンセーバ設定画面を表示させ、各モードに対して階調数又は輝度の変更量のどちらか一方を入力させ（ステップＳ５７）、入力値が確定したか否かを判断する（ステップＳ５８）。入力値が確定していない場合（Ｓ５８：ＮＯ）、入力値が確定するまで待機する。入力値が確定した場合（Ｓ５８：ＹＥＳ）、Ｓ５７で入力されなかった階調数又は輝度の変更量を算出し（ステップＳ５９）、スクリーンセーバ設定画面上に表示し、画像処理定義テーブルｂの値を書き換える。更に主制御部１は、変更後の予測される輝度を算出し、スクリーンセーバ設定画面上に表示する（ステップＳ６０）。その後、変更後の階調数及び輝度を画像処理定義テーブルｂへ書込む（ステップＳ６１）。
【００５９】
以上の実施の形態１及び２に関し、さらに以下の付記を開示する。
【００６０】
（付記１）
画像の表示時間を計時し、所定の時間が経過した場合、前記画像より低輝度の画像を表示する画像表示方法において、表示すべき画像を複数の領域に分割し、分割した領域毎に色変換するか否かの選択を受付け、色変換すべく選択された領域の画像に対して色変換処理を行い、色変換処理した画像を表示することを特徴とする画像表示方法。
【００６１】
（付記２）
画像の表示時間を計時する手段と、所定の時間が経過したか否かを判断する手段と、所定の時間が経過した場合、前記画像より低輝度の画像を生成する手段と、生成した画像を表示する手段とを備えた画像表示装置において、表示すべき画像を複数の領域に分割する手段と、分割した領域毎に色変換するか否かの選択を受付ける手段と、色変換すべく選択された領域の画像に対して色変換処理を行う手段とを備えたことを特徴とする画像表示装置。
【００６２】
（付記３）
輝度を所定量下げる手段を更に備えたことを特徴とする付記２記載の画像表示装置。
【００６３】
（付記４）
階調値を変更して輝度最大値を所定量下げる手段を更に備えたことを特徴とする付記２記載の画像表示装置。
【００６４】
（付記５）
前記色変換処理を行うか否かの選択、輝度を所定量下げる処理を行うか否かの選択、又は階調値を変更して輝度変更値を所定量下げる処理を行うか否かの選択を画像を表示する時間帯毎に受付ける手段と、前記選択に従い、各処理を行う手段とを更に備えることを特徴とする付記２から付記４のいずれかに記載の画像表示装置。
【００６５】
（付記６）
画像の表示時間を計時する手段と、所定の時間が経過したか否かを判断する手段と、所定の時間が経過した場合、表示素子の消耗を防止すべく、前記画像より低輝度の画像を生成する手段と、生成した画像を表示する手段とを備えた画像表示装置において、画像を表示する時間帯毎の画像の輝度最大値に基づき表示素子の余命を算出する手段と、表示した画像の輝度最大値と該輝度最大値にて画像を表示した時間とに基づき表示素子の余命を算出する手段と、算出した２つの余命が可及的に等しくなるような輝度最大値の推奨値を算出する手段と、算出した輝度最大値の推奨値に基づき、画像の輝度を下げる手段とを備えたことを特徴とする画像表示装置。
【００６６】
（付記７）
コンピュータに、所定の時間が経過したか否かを判断させるステップと、コンピュータに、所定の時間が経過した場合、前記画像より低輝度の画像を生成させるステップと、コンピュータに、生成した画像を表示させるステップとを有するコンピュータプログラムにおいて、コンピュータに、表示すべき画像を複数の領域に分割させるステップと、コンピュータに、分割した領域毎に色変換するか否かの選択を受付けさせるステップと、コンピュータに、色変換すべく選択された領域の画像に対して色変換処理を行わせるステップとを有することを特徴とするコンピュータプログラム。
【符号の説明】
【００６７】
１  主制御部
２  バス
３  ＲＯＭ
４  ＲＡＭ
５  インタフェース部
６  入力処理部
７  画像メモリ部
８  出力処理部
９  表示部
１０  計時部
１１  操作部
【図１】
2011164634.tif 000003
【図２】
2011164634.tif 000004
【図３】
2011164634.tif 000005
【図４】
2011164634.tif 000006
【図５】
2011164634.tif 000007
【図６】
2011164634.tif 000008
【図７】
2011164634.tif 000009
【図８】
2011164634.tif 000010
【図９】
2011164634.tif 000011
【図１０】
2011164634.tif 000012